(57)【要約】      （修正有）【課題】送り主が指定した受取人のみが開錠することができ、運送人やその他の人が容易に開錠することができないようにする。【解決手段】ＢＯＸ１５の内部に現在市販されているアプリケーシションソフトが組み込むことができる携帯電話機５と当該携帯電話機からの外部インタフェース信号により電子錠７に設けられているロックソレノイドに電流を流す電子錠駆動回路部６とその駆動回路部６の電流によって、ロック、アンロックする電子錠７及びバッテリ部１０より構成され、バッテリ部１０が不意に働かなくなった場合や電気回路が故障した場合のために、機械的強制開閉機構１１がＢＯＸ１５には具備されている。また、ＧＰＳ機能付アラーム装置１２をＢＯＸ１５に内蔵することによって、輪送中のＢＯＸ１５が何処にあるかが把握できるとともに、アラーム機能を活用して受取人以外が強制的に開錠しようとした場合には、アラームの報告も行う。【選択図】図１
2010070931.tif 000002
【特許請求の範囲】
【請求項１】
貴重品を収納するボックス本体と、
ボックス本体とこのボックス本体に設けられた蓋とを旋錠あるいは開錠する電子錠と、
前記ボックス本体内に収納され、旋錠完了通知手段及び開錠完了通知手段を有するアプリケーションソフトが組み込まれた携帯電話機と、
携帯電話機の外部インタフェース信号により駆動され、前記電子錠をロック、アンロックさせる電子錠駆動回路部と、
電子錠駆動回路部と電子錠に電力を供給するバッテリ部と、
を備えたことを特徴とするセフティーＢＯＸ。
【請求項２】
請求項１記載のセフティーＢＯＸにおいて、
前記ボックス本体内には、前記バッテリ部を充電する充電器を設けたことを特徴とするセフティーＢＯＸ。
【請求項３】
請求項１記載のセフティーＢＯＸにおいて、
前記電子錠が開錠不能になったときに、強制的に前記蓋を開放させる機械的強制開閉機構を前記ボックス本体に設けたことを特徴とするセフティーＢＯＸ。
【請求項４】
請求項１記載のセフティーＢＯＸにおいて、
ＧＰＳ機能付アラーム装置を前記ボックス本体に設けたこと、または、ＧＰＳ機能付き携帯電話機を活用することを特徴とするセフティーＢＯＸ。
【請求項５】
請求項１記載のセフティーＢＯＸにおいて、
前記アプリケーションソフトは、少なくともボックス本体が開錠状態に対しボックス本体に電話をした場合、電話相手から一連の数字を受け取りそれを記憶し、旋錠信号を外部インタフェースに出し、その後、予め記憶されている電話番号に電話を掛け旋錠完了を通知する機能と、及びボックス本体が旋錠状態に対しボックス本体に電話をした場合、電話相手の電話番号と前記旋錠時に記憶した一連の数字と比較し、一致すると開錠信号を外部インタフェースに出し、その後、予め記憶されている電話番号に電話を掛け開錠完了を通知する機能とを有することを特徴とするセフティーＢＯＸ。
【発明の詳細な説明】
【技術分野】
【０００１】
本発明は、送り主が、貴重品をＢＯＸに入れ、そのＢＯＸの蓋を閉じた後に輸送されたＢＯＸを、送り主が指定した受取人のみが開けることができるようにするとともに、受取人を自分にすることで金庫としても活用できるようにしたセフティーＢＯＸに関する。
【背景技術】
【０００２】
貴重品を送り主が指定した受取人に確実に届けることの仕組みは、非常に困難である。一例として例えば、貴重品箱に携帯電話機との通信手段を設けてロックする方法がある（特許文献１参照。）。
また、送り主と受取人のみが、貴重品箱を旋錠及び開錠する暗証番号を知っている方式もある（特許文献２参照。）。
【特許文献１】特開２００７−０５０９４２号公報
【特許文献２】特開２００６−１３４２１１号公報
【発明の開示】
【発明が解決しようとする課題】
【０００３】
前記特許文献１においては、貴重品箱に携帯電話機との通信手段を設けてロックする方法であるが、携帯電話機と通信がブルートゥース通信であり、一般的でないこと、旋錠及び開錠の運用が輸送会社で行われるため、送り主と受け取り以外が開錠することへの問題がある。
【０００４】
また、前記特許文献２においては、送り主と受取人のみが、貴重品箱を旋錠及び開錠する暗証番号を知っている方式であるが、送り主と受取人がアクセスできる端末とサーバが必要であり、端末を持たない人への配送ができない問題がある。
【０００５】
この他、現在運用されている方式には、送り主が貴重品をＢＯＸに入れ、そのＢＯＸの蓋を閉じた後、機械的にロック番号をセットする方式もあるが、本人が実際ロックした番号と異なる番号を誤って記憶してしまった場合や、実際ロックした番号を受取人に伝えるために受取人と連絡を取らねばならない面倒さや、また、受取人が送り主から伝えられたロック番号を誤るケース等の問題がある。
【０００６】
さらに、ＢＯＸに無線の通信機能を持たせて、送り主が貴重品をＢＯＸに入れ、ＢＯＸの蓋を閉じた後、センタに連絡をとり、受取人の認識情報を連絡し、この連絡が終了したならセンタは、無線でそのＢＯＸにロックを掛けてから輸送する方式である。
【０００７】
この方式は、輸送されて届いたＢＯＸを受け取った受取人が、センタに連絡し、センタが受取人本人であることを認識したならセンタは、無線でそのＢＯＸのロックを解除する方式である。この方式もセンタの運用費用、送り主と受取人との間の事前連絡等が必要であるという問題がある。
【０００８】
本発明は、上記の事情に鑑みてなされたもので、送り主が指定した受取人のみが開錠することができ、運送人やその他の人が容易に開錠することができない構成にするとともに、運用面においても簡単且つ低価格で実現できるセフティーＢＯＸを提供することを目的とする。
【課題を解決するための手段】
【０００９】
上記の目的を達成するために、請求項１に係る発明は、貴重品を収納するボックス本体と、ボックス本体とこのボックス本体に設けられた蓋とを旋錠あるいは開錠する電子錠と、前記ボックス本体内に収納され、旋錠完了通知手段及び開錠完了通知手段を有するアプリケーションソフトが組み込まれた携帯電話機と、携帯電話機の外部インタフェース信号により駆動され、前記電子錠をロック、アンロックさせる電子錠駆動回路部と、電子錠駆動回路部と電子錠に電力を供給するバッテリ部とを備えたことを特徴とする。
【００１０】
また、請求項２に係る発明は、請求項１において、前記ボックス本体内には、前記バッテリ部を充電する充電器を設けたことを特徴とする。
また、請求項３に係る発明は、請求項１において、前記電子錠が開錠不能になったときに、強制的に前記蓋を開放させる機械的強制開閉機構を前記ボックス本体に設けたことを特徴とする。
【００１１】
また、請求項４に係る発明は、請求項１において、ＧＰＳ機能付アラーム装置を前記ボックス本体に設けたこと、または、ＧＰＳ機能付き携帯電話機を活用することを特徴とする。
【００１２】
また、請求項５に係る発明は、請求項１において、前記アプリケーションソフトは、少なくとも、ボックス本体が開錠状態に対しボックス本体に電話をした場合、電話相手から一連の数字を受け取りそれを記憶し、旋錠信号を外部インタフェースに出し、その後、予め記憶されている電話番号に電話を掛け旋錠完了を通知する機能と、及びボックス本体が旋錠状態に対しボックス本体に電話をした場合、電話相手の電話番号と前記旋錠時に記憶した一連の数字と比較し、一致すると開錠信号を外部インタフェースに出し、その後、予め記憶されている電話番号に電話を掛け開錠完了を通知する機能とを有することを特徴とする。
【発明の効果】
【００１３】
本発明によれば、貴重品受取人は、送り主が送りたいどのような人でも良く、例えば、ＩＴ機器がある会社の人に送る場合のみでなく、田舎の親に送る場合もあり、また、宅内電話のみで携帯電話機も持たない人に送る場合も、あるいは携帯電話機を持っていてもブルートゥース通信のできない携帯電話機もあり、携帯電話機でメールが出せない人もいる場合でも、電話を掛けることができる受取人ならその人に確実に貴重品を届けることができる利点がある。
【００１４】
なお、厳密には、宅内電話のような固定電話の場合、発信者番号が非通知に設定してある電話の場合でも、通知モードに設定すればよく、また、センタの負担も故障や送り主のミスの場合のような障害時のみの対応でよく、通常運用時に機能する必要がない。
【発明を実施するための最良の形態】
【００１５】
以下本発明の実施の形態を図面に基づいて説明する。図１は本発明の実施の形態を示すセフティーＢＯＸの構成図で、図１のようにボックス本体（以下ＢＯＸと称す）１５の内部に現在市販されているアプリケーシションソフトが組み込むことができる携帯電話機５と当該携帯電話機からの外部インタフェース信号により電子錠７のロックソレノイドに電流を流す電子錠駆動回路部６とその駆動回路部６の電流によって、ロック、アンロックする電子錠７及びバッテリ部１０より構成され、バッテリ部１０が不意に働かなくなった場合や電気回路が故障した場合のために、機械的強制開閉機構１１がＢＯＸ１５には具備されていて、ＢＯＸ１５の蓋が強制的に開放できるように構成されている。
【００１６】
なお、上記携帯電話機５内のアプリケーションソフトの制御方式は、本発明の実施の形態に包含されている。また、市販のＧＰＳ機能付アラーム装置１２をＢＯＸ１５に内蔵すること、または、ＧＰＳ機能付き携帯電話機を活用することによって、輪送中のＢＯＸ１５が何処にあるかが把握でき、また、アラーム機能を活用して受取人以外が強制的に電子錠７を開錠しようとした場合、アラームの報告も行うことができる。
【００１７】
図２は実際の運用形態を示す説明図で、以下、図２に対応したプリケーションソフトの制御について説明する。図２の［１］において、送り主は、荷物、例えば貴重品をＢＯＸ１５に入れて蓋を閉じた後、ＢＯＸ１５の電話番号に電話し、ＢＯＸ１５に電話が通じると電話機のテンキーで受取人の電話番号を入力する。
【００１８】
携帯電話機５のアプリケーションソフト部３は、送り主から電話が掛かるとそれに続く数字を、アプリケーションインタフェース部２を介して入手する。
アプリケーションソフト部３は、入手した数字が１０桁以上か１１桁であることを確認する。もし、桁数が短すぎるか長すぎる場合は、アプリケーションソフト部３は、アプリケーションインタフェース部２を介して無線電話機能部１に異常音（異常音発生信号）を送り、送り主に通知する。桁数が正しい場合は、アプリケーションソフト部３は、その数字を記憶部８の受取人アドレスに記憶し、外部インタフェース部４にロック信号を出すように指示する。
【００１９】
記憶部８には、受取人用アドレスとロック完了通知用、アンロック完了通知用及び障害用の３つのアドレスを持つセンタ用アドレスがあり、それぞれの数字を保持できる。電子錠駆動回路部６は外部インタフェース部４からの信号を変換するインタフェース変換部１３よりロック信号を受け取ると電子錠７にロック電流を流す。電子錠７はロックが完了するとロック完了信号９を「Ｌｏｗ」にして、インタフェース変換部１３に送り、インタフェース変換部１３はそれを変換して外部インタフェース部４に通知する。
【００２０】
アプリケーションソフト部３は外部インタフェース部４からロック完了通知を受けるとアプリケーションインタフェース部２を介して無線電話機能部１に正常音（正常音発生信号）を送った後、電話を切る指示を出す。更にアプリケーションソフト部３は、外部インタフェース部４からロック完了通知を受けるとアプリケーションソフト部３内のメモリのロック中のインジケータをセットする。その後、予め記憶部８に記憶されているセンタのロック完了通知用の電話番号に電話を掛ける指示を、アプリケーションインタフェース部２を介して出す。
【００２１】
送り主の入力ミスを防ぐ為に、別の方法として送り主が貴重品をＢＯＸ１５に入れた後、ＢＯＸ１５の電話番号に電話し、ＢＯＸ１５に電話が通じると送り主は電話機のテンキーで受取人の電話番号を入力し、次に「＃」を入力し、更に同じ電話番号を入力し、その後再び「＃」を入力する。
【００２２】
この場合は、携帯電話機５のアプリケーションソフト部３は、送り主から電話が掛かるとそれに続くデータを、アプリケーションインタフェース部２を介して入手する。アプリケーションソフト部３は、入手したデータの最初の「＃」までの数字と２回目の「＃」までの数字が一致することをチェックし、もし一致しない場合は、アプリケーションソフト部３はアプリケーションインタフェース部２を介して無線電話機能部１に異常音（異常音発生信号）を送り、送り主に通知する。一致する場合は、その数字を記憶部８に記憶し、外部インタフェース部４にロック信号を出すように指示する。
【００２３】
上記までの動作が図２の［２］に示す部分である。なお、以下の流れは図２の［３］、［４］である。ＢＯＸ１５が輸送され、受取人に届くと、受取人は、ＢＯＸ１５に書かれたＢＯＸ１５の電話番号に電話する。受取人が、使用した電話が送り主により指定したものであれば、ＢＯＸ１５の電子錠７のロックがはずれ、ＢＯＸ１５の中から貴重品を取り出すことができる。
【００２４】
この場合は、携帯電話機５のアプリケーションソフト部３は、アプリケーションインタフェース部２を介して無線電話機能部１から発信者ＩＤである電話番号を入手し、記憶部８の受取人アドレスの内容と比較し、もし一致すれば外部インタフェース部４にアンロック信号を出すように指示する。更にアプリケーションソフト部３は、アプリケーションソフト部３内のメモリのロック中のインジケータをリセットする。その後、予め記憶部８に記憶されているセンタのアンロック完了通知用の電話番号に電話を掛ける指示を、アプリケーションインタフェース部２を介して出す。
【００２５】
電子錠駆動回路部６は、外部インタフェース部４からの信号を変換するインタフェース変換部１３よりアンロック信号を受け取ると電子錠７にアンロック電流を流す。電子錠７は、アンロックが完了するとロック完了信号９を「Ｈｉｇｈ」にしてインタフェース変換部１３に送り、インタフェース変換部１３はそれを変換して外部インタフェース部４に送る。
【００２６】
アプリケーションソフト部３は、外部インタフェース部４からアンロックの完了通知を受けるとアプリケーションインタフェース部２を介して無線電話機能部１に正常音（正常音発生信号）を送った後、電話を切る指示を出す。もし、記憶部８の受取人のアドレスが一致しない場合は、次のセンタ用アドレスの内容と比較し、いずれのアドレスとも一致しない場合、アプリケーションソフト部３はアプリケーションインタフェース部２を介して無線電話機能部１に異常音（異常音発生信号）を送り、受取人に通知する。
【００２７】
アプリケーションソフト部３が外部インタフェース部４にアンロック信号を出すように指示した後、規定時間以内に電子錠７からアンロックが完了したことを通知し、ロック完了信号９を「Ｌｏｗ」から「Ｈｉｇｈ」にしてインタフェース変換部１３に送り、インタフェース変換部１３が変換した信号が外部インタフェース部４を介して、アプリケーションソフト部３に届かない場合は、アプリケーションソフト部３はアプリケーションンインタフェース部２を介して無線電話機能部１に故障を知らせる故障音（故障音発生信号）を送る。
【００２８】
これによりＢＯＸ１５の蓋の開かない原因が故障であるかを受取人に通知する。
万一、送り主が受取人の電話番号を誤って入力し、ＢＯＸ１５の蓋が開かなくなった場合、送り主の許可を得て、センタの特定の電話からＢＯＸ１５に電話をして、ＢＯＸ１５の蓋を開けることができる。
【００２９】
携帯電話機５のアプリケーションソフト部３は、アプリケーションインタフェース部２を介して無線電話機能部１から発信者ＩＤである電話番号を入手し、記憶部８の受取人アドレスの内容と比較し、次にセンタ用アドレスの内容と比較し、もし一致すれば外部インタフェース部４にアンロック信号を出すように指示する。更にアプリケーションソフト部３は、アプリケーションソフト部３内のメモリのロック中のインジケータをリセットする。その後、予め記憶部８に記憶されているセンタのアンロック完了通知用の電話番号に電話を掛ける指示を、アプリケーションインタフェース部２を介して出す。
【００３０】
電子錠駆動回路部６は、外部インタフェース部４よりアンロック信号を受け取ると電子錠７にアンロック電流を流す。電子錠７は、アンロックが完了するとロック完了信号９が「Ｌｏｗ」から「Ｈｉｇｈ」となり、インタフェース変換部１３はそれを変換した信号を外部インタフェース部４に送る。アプリケーションソフト部３は、外部インタフェース部４からアンロックの完了通知を受けるとアプリケーションインタフェース部２を介して無線電話機能部１に正常音（正常音発生信号）を送った後、電話を切る指示を出す。
【００３１】
もし、記憶部８の受取人のアドレスで一致しない場合は、次のセンタ用アドレスの内容と比較し、いずれのアドレスとも一致しない場合、アプリケーションソフト部３は、アプリケーションインタフェース部２を介して無線電話機能部１に異常音（異常音発生信号）を送り、予め記憶部８に記憶されている障害用の電話番号でセンタに通知する。
【００３２】
アプリケーションソフト部３が、外部インタフェース部４にアンロック信号を出すように指示した後、規定時間以内に電子錠７からアンロックが完了したことを通知する。ロック完了信号９を「Ｌｏｗ」から「Ｈｉｇｈ」にしてインタフェース変換部１３に送り、インタフェース変換部１３が変換した信号が外部インタフェース部４を介して、アプリケーションソフト部３に届かない場合は、アプリケーションソフト部３は、アプリケーションインタフェース部２を介して無線電話機能部１に故障を知らせる故障音（故障音発生信号）を送る。これにより蓋が、開かない原因が故障であることを予め記憶部８に記憶されている障害用の電話番号でセンタに通知する。
【００３３】
アプリケーションソフト部３は、アプリケーションソフト部３内のメモリのロック中のインジケータがセットされたままの状態で、外部インタフェース部４からアンロックの完了通知を受けると、アプリケーションインタフェース部２を介して無線電話機能部１に予め記憶部８に記憶されている障害用センタの電話番号に異常音（異常音発生信号）を送り、その後通話モードを保つように指示を出す。
【００３４】
なお、バッテリ部１０の交換の煩わしさ及び万一、バッテリ部１０の容量切れで正しい受取人が、ＢＯＸ１５の蓋を開けられない不都合を回避する為、バッテリ部１０を充電するための充電器１４が具備されている。本実施の形態では、受取人の電話番号を送り主本人自身の番号にすることにより、本人の貴重品ＢＯＸ１５としても活用できる。
【産業上の利用可能性】
【００３５】
送り主が指定した受取人のみが開錠することができ、運送人やその他の人が容易に開錠することができず、運用面においても簡単且つ低価格で実現できる貴重品を輸送するためのセフティーＢＯＸを提供する
【図面の簡単な説明】
【００３６】
【図１】本発明の実施の形態を示すセフティーＢＯＸの構成図。
【図２】実際の運用形態を示す説明図。
【符号の説明】
【００３７】
１…無線電話機能部
２…アプリケーションインタフェース部
３…アプリケーションソフト部
４…外部インタフェース部
５…携帯電話機
６…電子錠駆動回路部
７…電子錠
８…記憶部
９…ロック完了信号
１０…バッテリ部
１１…機械的強制開閉機構
１２…ＧＰＳ機能付アラーム装置
１３…インタフェース変換部
１４…充電器
１５…ボックス本体（ＢＯＸ）
【図１】
2010070931.tif 000003
【図２】
2010070931.tif 000004